(57)【要約】【課題】より省スペース化を図りやすい新規な構成のスタンド装置を得る。【解決手段】スタンド装置１０は、電子機器１の筐体２の底壁２ａ（第一壁）に取り付けられ、設置面１００と底壁２ａとの間に介在したベース部１３と、ベース部１３の設置面１００に沿うＹ方向（第一方向）の両端部１３ｃのうち一端部１３ｃ１のみに設けられ、筐体２のＹ方向の両側の一対の左壁２ｄおよび右壁２ｆ（第二壁）のうち一方と面した支持部１４（第一支持部）と、を備える。【選択図】図１
2020149421.tif 000002
【特許請求の範囲】
【請求項１】
電子機器の筐体の第一壁に取り付けられ、設置面と前記第一壁との間に介在したベース部と、
前記ベース部の前記設置面に沿う第一方向の両端部のうち一端部のみに設けられ、前記筐体の前記第一方向の両側の一対の第二壁のうち一方と面した第一支持部と、
を備えた、スタンド装置。
【請求項２】
前記ベース部の一部を構成する第一部分と、前記第一支持部と、を有した第一部品と、
前記ベース部の一部を構成し前記設置面と交差した第二方向に前記第一部分と重なった第二部分と、前記第二部分の前記第一支持部とは反対側の他端部に設けられ前記一対の第二壁のうち他方と面した第二支持部と、を有し、前記第一部品に対して着脱可能に構成された第二部品と、
を備えた、請求項１に記載のスタンド装置。
【請求項３】
前記第一部分には、前記第一方向および前記第二方向と交差した第三方向に延びた第一通路が設けられ、
前記第二部分には、前記第二部品が前記第一部品と一体化された状態で、前記第一通路と前記第三方向に連通する第二通路が設けられた、請求項２に記載のスタンド装置。
【請求項４】
前記第一部品は、前記第一壁に、前記第一支持部が前記一対の第二壁のうち一方と面する第一姿勢と、前記第一支持部が前記一対の第二壁のうち他方と面する第二姿勢と、の二つの姿勢で取り付け可能に構成された、請求項２または３に記載のスタンド装置。
【請求項５】
前記第一部品は、前記第一部分から前記第二方向に突出し、前記第一姿勢および前記第二姿勢のそれぞれの姿勢で前記第一壁と位置決めされる突出部を有した、請求項４に記載のスタンド装置。
【請求項６】
前記第一支持部および前記第二支持部のうち少なくとも一方は、前記設置面と面し、前記ベース部から離れるにつれて前記設置面から遠ざかるように傾斜した第一面を有した、請求項１〜５のうちいずれか一つに記載のスタンド装置。
【発明の詳細な説明】
【技術分野】
【０００１】
本発明は、スタンド装置に関する。
【背景技術】
【０００２】
従来、電子機器の筐体の第一壁に取り付けられたベース部と、ベース部の第一方向の両端部に設けられ筐体の第一方向の両側の一対の第二壁と面した二つの支持部と、を備えたスタンド装置が、知られている（例えば、特許文献１参照）。
【先行技術文献】
【特許文献】
【０００３】
【特許文献１】特開２０００−２０７０５４号公報
【発明の概要】
【発明が解決しようとする課題】
【０００４】
この種のスタンド装置では、例えば、より省スペース化を図りやすい新規な構成が得られれば、有益である。
【０００５】
そこで、本発明の課題の一つは、より省スペース化を図りやすい新規な構成のスタンド装置を得ることである。
【課題を解決するための手段】
【０００６】
本発明の第一態様にかかるスタンド装置は、電子機器の筐体の第一壁に取り付けられ、設置面と前記第一壁との間に介在したベース部と、前記ベース部の前記設置面に沿う第一方向の両端部のうち一端部のみに設けられ、前記筐体の前記第一方向の両側の一対の第二壁のうち一方と面した第一支持部と、を備える。
【０００７】
また、前記スタンド装置は、前記ベース部の一部を構成する第一部分と、前記第一支持部と、を有した第一部品と、前記ベース部の一部を構成し前記設置面と交差した第二方向に前記第一部分と重なった第二部分と、前記第二部分の前記第一支持部とは反対側の他端部に設けられ前記一対の第二壁のうち他方と面した第二支持部と、を有し、前記第一部品に対して着脱可能に構成された第二部品と、を備える。
【０００８】
また、前記第一部分には、前記第一方向および前記第二方向と交差した第三方向に延びた第一通路が設けられ、前記第二部分には、前記第二部品が前記第一部品と一体化された状態で、前記第一通路と前記第三方向に連通する第二通路が設けられる。
【０００９】
また、前記第一部品は、前記第一壁に、前記第一支持部が前記一対の第二壁のうち一方と面する第一姿勢と、前記第一支持部が前記一対の第二壁のうち他方と面する第二姿勢と、の二つの姿勢で取り付け可能に構成される。
【００１０】
また、前記第一部品は、前記第一部分から前記第二方向に突出し、前記第一姿勢および前記第二姿勢のそれぞれの姿勢で前記第一壁と位置決めされる突出部を有している。
【００１１】
また、前記第一支持部および前記第二支持部のうち少なくとも一方は、前記設置面と面し、前記ベース部から離れるにつれて前記設置面から遠ざかるように傾斜した第一面を有している。
【発明の効果】
【００１２】
本発明の上記態様によれば、より省スペース化を図りやすい新規な構成のスタンド装置を得ることができる。
【図面の簡単な説明】
【００１３】
【図１】図１は、実施形態のスタンド装置の例示的な斜視図であって、第一部品が第二部品と分離された第一状態かつ第一姿勢で電子機器の筐体に取り付けられた図である。
【図２】図２は、実施形態のスタンド装置の例示的な斜視図である。
【図３】図３は、実施形態のスタンド装置の例示的な分解斜視図である。
【図４】図４は、実施形態のスタンド装置が取り付けられる電子機器の筐体の図１とは異なる角度から見た例示的な斜視図である。
【図５】図５は、実施形態のスタンド装置の例示的な側面図であって、第一部品が第二部品と分離された第一状態かつ第二姿勢で電子機器の筐体に取り付けられた図である。
【図６】図６は、実施形態のスタンド装置の例示的な側面図であって、第一部品が第二部品と一体化された第二状態で電子機器の筐体に取り付けられた図である。
【図７】図７は、図１のスタンド装置の例示的な側面図であって、筐体が壁面とは反対側に傾倒した状態の図である。
【図８】図８は、図１のスタンド装置の例示的な側面図であって、筐体が壁面側に傾倒した状態の図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
［実施形態］
図１は、実施形態のスタンド装置１０の斜視図であって、第一部品１１が第二部品１２と分離された第一状態Ｓ１かつ第一姿勢Ｐ１で電子機器１の筐体２に取り付けられた図である。図１に示されるように、スタンド装置１０は、例えば、デスクトップ型のパーソナルコンピュータのパソコン本体等によって構成された電子機器１の筐体２に取り付けられている。スタンド装置１０は、机や、台、棚等の設置面１００と筐体２との間に介在し、筐体２を縦置きの状態で支持する。
【００１７】
以下の説明では、便宜上、互いに直交する三方向が定義されている。Ｘ方向は、筐体２の奥行方向（前後方向）に沿うとともに、スタンド装置１０の幅方向（短手方向）に沿う。Ｙ方向は、筐体２の幅方向（左右方向）に沿うとともに、スタンド装置１０の長手方向に沿う。Ｚ方向は、筐体２の高さ方向（上下方向）に沿うとともに、スタンド装置１０の高さ方向（厚さ方向、上下方向）に沿う。
【００１８】
Ｙ方向は、設置面１００に沿う第一方向の一例である。Ｚ方向は、設置面１００と交差した第二方向の一例である。Ｘ方向は、第一方向および第二方向と交差した第三方向の一例である。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される場合がある。
【００１９】
図１に示されるように、筐体２は、例えば、Ｙ方向に扁平な直方体状の箱型に構成されている。筐体２は、底壁２ａや、天壁２ｂ、前壁２ｃ、左壁２ｄ、後壁２ｅ、右壁２ｆ等の複数の壁部を有している。底壁２ａは、下壁とも称され、天壁２ｂは、上壁とも称される。また、前壁２ｃ、左壁２ｄ、後壁２ｅ、および右壁２ｆは、側壁や、周壁等とも称される。
【００２０】
底壁２ａおよび天壁２ｂは、いずれも、Ｚ方向と直交する方向（ＸＹ平面）に沿って延びており、Ｚ方向に間隔をあけて互いに平行に設けられている。底壁２ａは、筐体２の下端部を構成し、天壁２ｂは、筐体２の上端部を構成している。底壁２ａには、後述するスタンド装置１０のベース部１３がネジやボルト等の結合具１８（図２参照）によって固定されている。底壁２ａは、第一壁の一例である。
【００２１】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、底壁２ａおよび天壁２ｂのＸ方向の端部の間に亘り、後壁２ｅは、底壁２ａおよび天壁２ｂのＸ方向の反対方向の端部の間に亘っている。前壁２ｃは、筐体２の前端部を構成し、後壁２ｅは、筐体２の後端部を構成している。前壁２ｃには、光学ドライブ３や、電源ボタン４、コネクタ５等が設けられている。
【００２２】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、底壁２ａおよび天壁２ｂのＹ方向の端部の間に亘り、右壁２ｆは、底壁２ａおよび天壁２ｂのＹ方向の反対方向の端部の間に亘っている。左壁２ｄは、筐体２の左端部を構成し、右壁２ｆは、筐体２の右端部を構成している。左壁２ｄおよび右壁２ｆのうち一方は、後述するスタンド装置１０の支持部１４と面し、当該支持部１４に支持される。左壁２ｄおよび右壁２ｆは、第二壁の一例である。
【００２３】
図２は、スタンド装置１０の斜視図である。図２に示されるように、スタンド装置１０は、例えば、ベース部１３と、一対の支持部１４，１５と、を備えている。ベース部１３は、底壁２ａに沿って延びた四角形状の板状に構成されている。ベース部１３は、Ｚ方向の上面１３ｄと、Ｚ方向の反対方向の下面１３ｅと、を有する。上面１３ｄは、底壁２ａと面し、下面１３ｅは、設置面１００と面する。
【００２４】
上面１３ｄの四つの角部には、それぞれ底壁２ａを弾性的に支持する弾性体１７が設けられている。弾性体１７は、例えば、エラストマやゴム等によって構成されている。弾性体１７は、少なくとも一部が上面１３ｄよりもＺ方向に突出した状態で、ベース部１３に設けられた各凹部１３ｉに収容されている。弾性体１７は、緩衝材や、クッション材等とも称される。
【００２５】
支持部１４は、ベース部１３のＹ方向の両端部１３ｃのうち一端部１３ｃ１に設けられている。また、支持部１５は、両端部１３ｃのうち支持部１４とは反対側の他端部１３ｃ２に設けられている。支持部１４，１５は、ベース部１３から筐体２（図６参照）よりもＹ方向の両側（外側）かつＺ方向に突出しており、左壁２ｄおよび右壁２ｆを支持する。支持部１４は、第一支持部の一例であり、支持部１５は、第二支持部の一例である。支持部１４，１５は、突出部や、張出部等とも称される。
【００２６】
図２に示されるように、支持部１４，１５は、例えば、全体としては、それぞれＸ方向に沿って延びた略三角柱状に構成されている。本実施形態では、支持部１４，１５は、ベース部１３のＹ方向の中心を通りＹ方向と直交した仮想対称面に対して、面対称に構成されている。すなわち、支持部１４と支持部１５とは鏡像関係にある。支持部１４，１５は、それぞれ、側面１４ａ，１５ａと、下面１４ｂ，１５ｂと、傾斜面１４ｃ，１５ｃと、を有している。
【００２７】
側面１４ａ，１５ａは、支持部１４，１５の筐体２（図６参照）側の面であり、左壁２ｄおよび右壁２ｆの下端部と面している。傾斜面１４ｃ，１５ｃは、支持部１４，１５の筐体２とは反対側の面であり、側面１４ａ，１５ａのＺ方向の端部と下面１４ｂ，１５ｂのベース部１３とは反対側の端部との間に亘って斜めに延びている。側面１４ａ，１５ａは、支持面等とも称される。
【００２８】
下面１４ｂ，１５ｂは、支持部１４，１５のＺ方向の反対方向の面であり、設置面１００と面している。本実施形態では、下面１４ｂ，１５ｂは、ベース部１３からＹ方向の両側（外側）に離れるにつれて設置面１００から遠ざかるように傾斜している。すなわち、下面１４ｂ，１５ｂは、設置面１００と接触した部分（領域）と、設置面１００から離間した部分（領域）と、を含んでいる。下面１４ｂ，１５ｂは、第一面の一例である。
【００２９】
図３は、スタンド装置１０の分解斜視図である。図３に示されるように、スタンド装置１０は、例えば、第一部品１１と、第二部品１２と、を有している。第一部品１１は、少なくとも、支持部１４と、ベース部１３の一部を構成する第一部分１３ａと、を含み、第二部品１２は、少なくとも、支持部１５と、ベース部１３の残りの一部を構成する第二部分１３ｂと、を含む。
【００３０】
本実施形態では、スタンド装置１０は、第一部品１１が第二部品１２と分離された第一状態Ｓ１と、第一部品１１が第二部品１２と一体化された第二状態Ｓ２（図２参照）と、で使用可能に構成されている。これにより、スタンド装置１０の使用形態（モード）の自由度が高められている。第一部品１１は、メイン部品や、ベース部品等とも称され、第二部品１２は、サブ部品等とも称される。
【００３１】
図３に示されるように、第二部分１３ｂは、第一部分１３ａのＺ方向に重なって位置されている。第二部分１３ｂには、Ｚ方向の反対方向に突出したフック部１６が設けられ、第一部分１３ａには、フック部１６が貫通する開口部１３ｇが設けられている。第一部品１１と第二部品１２とは、これらフック部１６の爪１６ｂと開口部１３ｇの縁部との引っ掛かりによる所謂スナップフィットによって互いに着脱可能に結合されている。
【００３２】
フック部１６は、例えば、第二部分１３ｂの四つの角部に設けられている。フック部１６は、それぞれ、突出部１６ａと、爪１６ｂと、を有している。突出部１６ａは、開口部１３ｇをＺ方向に貫通し、爪１６ｂは、開口部１３ｇの下面１３ｅ側に係合される。爪１６ｂは、それぞれ、突出部１６ａの第二部分１３ｂとは離れた位置から、Ｘ方向の両側（外側）に向けて突出している。
【００３３】
また、第二部分１３ｂには、凹部１３ｋが設けられている。凹部１３ｋは、Ｘ方向の視線では、Ｚ方向に向けて開放された略Ｕ字状に構成されている。凹部１３ｋは、第二部分１３ｂのＹ方向の中央部よりもＹ方向（支持部１５側）にずれた位置に設けられ、Ｘ方向に沿って延びている。凹部１３ｋは、第二部分１３ｂの壁からＺ方向の反対方向に凸の状態で湾曲している。凹部１３ｋは、第二通路の一例であり、曲部等とも称される。
【００３４】
また、第二部分１３ｂには、Ｚ方向に貫通した複数の貫通孔１３ｍ，１３ｎが設けられている。貫通孔１３ｍ，１３ｎは、Ｘ方向に互いに間隔をあけて並んでいる。図２にも示されるように、貫通孔１３ｍには、上述したベース部１３と底壁２ａとを結合する結合具１８が挿入され、貫通孔１３ｎには、後述する第一部分１３ａの突出部１９が挿入される。貫通孔１３ｍ，１３ｎは、逃げ穴等とも称される。
【００３５】
図３に示されるように、第一部分１３ａには、上面１３ｄからＺ方向の反対方向に凹んだ複数の凹部１３ｆ，１３ｈが設けられている。凹部１３ｆは、第一部分１３ａのＸ方向の中央部に設けられ、Ｙ方向に沿って延びている。凹部１３ｆは、第二部分１３ｂを収容可能である。本実施形態では、凹部１３ｆに第二部分１３ｂが収容された状態、すなわち第一部品１１と第二部品１２とが互いに一体化された第二状態Ｓ２（図２参照）では、第一部分１３ａの上面１３ｄと第二部分１３ｂの上面１３ｄとが、Ｘ方向に面一の状態で並んでいる。
【００３６】
凹部１３ｈは、凹部１３ｋに対応して第一部分１３ａのＹ方向の中央部よりもＹ方向（支持部１５側）にずれた位置に設けられている。凹部１３ｈは、凹部１３ｋを収容可能である。凹部１３ｈは、第一部分１３ａの凹部１３ｆ（図３参照）を間に挟んだＸ方向の両端部と凹部１３ｆの底部とに亘って設けられ、第一部分１３ａをＸ方向に貫通している。凹部１３ｈのＸ方向の中央部（凹部１３ｋの収容部分）のＺ方向に沿った深さは、凹部１３ｈのＸ方向の両端部のＺ方向に沿った深さよりも深い。凹部１３ｈは、第一通路の一例である。
【００３７】
ここで、本実施形態では、第一部品１１と第二部品１２とが一体化された第二状態Ｓ２（図２参照）において、二つの凹部１３ｈ，１３ｋがＸ方向に連通するよう構成されている。凹部１３ｈ，１３ｋは、例えば、電子機器１の筐体２とキーボードやマウス等とを接続するケーブル等を収容可能である。凹部１３ｈ，１３ｋは、配線通路や、隙間、開口部等とも称される。
【００３８】
また、図３に示されるように、凹部１３ｆの底部には、開口部１３ｇが設けられている。開口部１３ｇは、例えば、フック部１６に対応して凹部１３ｆの四つの角部に設けられ、第一部分１３ａをＺ方向に貫通している。開口部１３ｇの下面１３ｅ側には、上述したフック部１６の爪１６ｂが係合される。作業者は、ベース部１３の下面１３ｅ側から爪１６ｂを押圧操作することによって、フック部１６と開口部１３ｇとの係合を容易に解除することができる。
【００３９】
また、凹部１３ｆの底部には、上述した貫通孔１３ｎに対応して突出部１９が設けられている。突出部１９は、第一部分１３ａのＸ方向の中央部に設けられた結合具１８に対して、Ｘ方向の反対方向にずれて位置されている。突出部１９は、例えば、底壁２ａの開口部２ｈ（図４参照）の縁部に沿った円筒状に構成されている。突出部１９は、第一位置決め部や、係合ピン等とも称される。
【００４０】
図４は、電子機器１の筐体２の図１とは異なる角度から見た斜視図である。図５は、スタンド装置１０の側面図であって、第一部品１１が第二部品１２と分離された第一状態Ｓ１かつ第二姿勢Ｐ２で筐体２に取り付けられた図である。図６は、スタンド装置１０の側面図であって、第一部品１１が第二部品１２と一体化された第二状態Ｓ２で筐体２に取り付けられた図である。
【００４１】
図４に示されるように、底壁２ａには、中心孔２ｇと、一対の開口部２ｈと、が設けられている。中心孔２ｇは、例えば、底壁２ａのＸ方向の両端部に設けられている。中心孔２ｇの内部には、底壁２ａとベース部１３とを結合する結合具１８の雄ネジ部と噛み合う雌ネジ部が設けられている。本実施形態では、底壁２ａには、中心孔２ｇに対応して二つのスタンド装置１０（図１参照）が取り付け可能に構成されている。
【００４２】
図４に示されるように、開口部２ｈは、底壁２ａの中心孔２ｇを間に挟んだＸ方向の両側に設けられている。言い換えると、開口部２ｈは、中心孔２ｇの中心軸回りに互いに１８０°間隔で配置されている。開口部２ｈは、Ｚ方向の反対方向、すなわちスタンド装置１０側に向けて開放された凹部である。開口部２ｈには、上述した突出部１９（図３参照）が挿入される。開口部２ｈは、第二位置決め部等とも称される。
【００４３】
そして、本実施形態では、突出部１９と一対の開口部２ｈのうち一方との係合によって、第一部品１１が底壁２ａに第一状態Ｓ１かつ第一姿勢Ｐ１（図１，７参照）で位置決めされる。また、突出部１９と一対の開口部２ｈのうち他方との係合によって、第一部品１１が底壁２ａに第一状態Ｓ１かつ第二姿勢Ｐ２（図５参照）で位置決めされる。第一姿勢Ｐ１では、第一部品１１の支持部１４が左壁２ｄと面し、第二姿勢Ｐ２では、支持部１４が右壁２ｆと面する。
【００４４】
また、本実施形態では、突出部１９と一対の開口部２ｈのうち一方との係合によって、スタンド装置１０を底壁２ａに第二状態Ｓ２（図６参照）で位置決め可能である。このように、本実施形態では、スタンド装置１０は、支持部１４が左壁２ｄを支持する第一姿勢Ｐ１（図１，７参照）や、支持部１４が右壁２ｆを支持する第二姿勢Ｐ２（図５参照）、支持部１４，１５が左壁２ｄおよび右壁２ｆを支持する第二状態Ｓ２（図６参照）等、複数のモードで使用可能に構成されている。
【００４５】
図７は、図１のスタンド装置１０の側面図であって、筐体２が壁面１０１とは反対側に傾倒した状態の図である。図８は、図１のスタンド装置１０の側面図であって、筐体２が壁面１０１側に傾倒した状態の図である。図７，８に示されるように、本実施形態では、電子機器１の筐体２は、スタンド装置１０を介して設置面１００と交差した壁面１０１に寄せて設置されている。
【００４６】
図７に示されるように、本実施形態では、例えば、地震等によって筐体２が設置面１００に対して壁面１０１とは反対側に傾いた場合、上述した支持部１４の下面１４ｂ（傾斜面）が設置面１００と平行の状態となり、下面１４ｂの略全域が設置面１００と当接する。これにより、筐体２が下面１４ｂと設置面１００とが当接した状態よりもさらに壁面１０１とは反対側に傾くのが抑制される。支持部１４は、傾倒抑制部等とも称される。
【００４７】
一方、図８に示されるように、本実施形態では、筐体２が設置面１００に対して壁面１０１側に倒れた場合には、筐体２の端部（右角部）と壁面１０１とが当接する。これにより、筐体２が壁面１０１と当接した状態よりもさらに壁面１０１側に傾くのが抑制される。
【００４８】
以上のように、本実施形態では、スタンド装置１０は、電子機器１の筐体２の底壁２ａ（第一壁）に取り付けられ、設置面１００と底壁２ａとの間に介在したベース部１３と、ベース部１３の設置面１００に沿うＹ方向（第一方向）の両端部１３ｃのうち一端部１３ｃ１のみに設けられ、筐体２のＹ方向の両側の一対の左壁２ｄおよび右壁２ｆ（第二壁）のうち一方と面した支持部１４（第一支持部）と、を備える。
【００４９】
このような構成によれば、例えば、電子機器１の筐体２を設置面１００と交差した壁面１０１に寄せて配置するような場合に、従来構造と比べて壁面１０１側の支持部を無くすことができる分、ベース部１３ひいては筐体２を壁面１０１により近づけて配置することができる。よって、例えば、より省スペース化を図りやすい新規な構成のスタンド装置１０を得ることができる。
【００５０】
また、本実施形態では、スタンド装置１０は、ベース部１３の一部を構成する第一部分１３ａと、支持部１４と、を有した第一部品１１と、ベース部１３の一部を構成し設置面１００と交差したＺ方向（第二方向）に第一部分１３ａと重なった第二部分１３ｂと、第二部分１３ｂの支持部１４とは反対側の他端部１３ｃ２に設けられ一対の左壁２ｄおよび右壁２ｆのうち他方と面した支持部１５（第二支持部）と、を有し、第一部品１１に対して着脱可能に構成された第二部品１２と、を備える。
【００５１】
このような構成によれば、例えば、スタンド装置１０を第二部品１２が第一部品１１に対して分離された第一状態Ｓ１で使用することにより、ベース部１３の一端部１３ｃ１のみに支持部１４が設けられた構成のスタンド装置１０を得ることができる。また、例えば、第二部品１２が第一部品１１に対して分離された第一状態Ｓ１と、第二部品１２が第一部品１１に対して一体化された第二状態Ｓ２と、で使用可能なスタンド装置１０を得ることができる。
【００５２】
また、本実施形態では、第一部分１３ａには、Ｘ方向（第三方向）に延びた凹部１３ｈ（第一通路）が設けられ、第二部分１３ｂには、第二部品１２が第一部品１１と一体化された第二状態Ｓ２で、凹部１３ｈとＸ方向に連通する凹部１３ｋ（第二通路）が設けられている。
【００５３】
このような構成によれば、例えば、凹部１３ｈ，１３ｋによって、第一状態Ｓ１および第二状態Ｓ２のそれぞれで電子機器１の筐体２とキーボードやマウス等とを接続するケーブルを配索可能なスタンド装置１０が得られやすい。
【００５４】
また、本実施形態では、第一部品１１は、底壁２ａに、支持部１４が左壁２ｄ（一方）と面する第一姿勢Ｐ１と、支持部１４が右壁２ｆ（他方）と面する第二姿勢Ｐ２と、の二つの姿勢で取り付け可能に構成されている。
【００５５】
このような構成によれば、例えば、壁面１０１が筐体２の右壁２ｆ側および左壁２ｄ側のいずれに位置された場合にも対応することができ、ひいては筐体２のレイアウトの自由度が高まりやすい。
【００５６】
また、本実施形態では、第一部品１１は、第一部分１３ａからＺ方向に突出し、第一姿勢Ｐ１および第二姿勢Ｐ２のそれぞれの姿勢で底壁２ａと位置決めされる突出部１９を有している。
【００５７】
このような構成によれば、例えば、突出部１９によって第一部品１１を第一姿勢Ｐ１および第二姿勢Ｐ２のそれぞれで位置決めすることができ、ひいては第一部品１１の底壁２ａへの取付作業が、より容易に、より円滑に、あるいはより精度よく行われやすい。
【００５８】
また、本実施形態では、支持部１４，１５は、それぞれ、設置面１００と面し、ベース部１３から離れるにつれて設置面１００から遠ざかるように傾斜した下面１４ｂ，１５ｂ（第一面）を有している。
【００５９】
このような構成によれば、例えば、筐体２に入力された振動等によって筐体２が傾いたとしても、下面１４ｂ，１５ｂと設置面１００との当接によって筐体２のさらなる傾きを抑制することができ、ひいては筐体２の安定性が高まりやすい。
【００６０】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６１】
１…電子機器、２…筐体、２ａ…底壁（第一壁）、２ｄ…左壁（第二壁）、２ｆ…右壁（第二壁）、１０…スタンド装置、１１…第一部品、１２…第二部品、１３…ベース部、１３ａ…第一部分、１３ｂ…第二部分、１３ｃ…両端部、１３ｃ１…一端部、１３ｃ２…他端部、１３ｈ…凹部（第一通路）、１３ｋ…凹部（第二通路）、１４…支持部（第一支持部）、１４ｂ…下面（第一面）、１５…支持部（第二支持部）、１５ｂ…下面（第一面）、１９…突出部、１００…設置面、Ｐ１…第一姿勢、Ｐ２…第二姿勢、Ｘ…第三方向、Ｙ…第一方向、Ｚ…第二方向。
【図１】
2020149421.tif 000003
【図２】
2020149421.tif 000004
【図３】
2020149421.tif 000005
【図４】
2020149421.tif 000006
【図５】
2020149421.tif 000007
【図６】
2020149421.tif 000008
【図７】
2020149421.tif 000009
【図８】
2020149421.tif 000010
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
電子機器の筐体の第一壁に取り付けられ、設置面と前記第一壁との間に介在したベース部と、
前記ベース部の前記設置面に沿う第一方向の両端部のうち一端部のみに設けられ、前記筐体の前記第一方向の両側の一対の第二壁のうち一方と面した第一支持部と、
を備え、
前記第一支持部は、前記設置面と面し、前記ベース部から離れるにつれて前記設置面から遠ざかるように傾斜した第一面を有した、スタンド装置。
【請求項２】
前記ベース部の一部を構成する第一部分と、前記第一支持部と、を有した第一部品と、
前記ベース部の一部を構成し前記設置面と交差した第二方向に前記第一部分と重なった第二部分と、前記第二部分の前記第一支持部とは反対側の他端部に設けられ前記一対の第二壁のうち他方と面した第二支持部と、を有し、前記第一部品に対して着脱可能に構成された第二部品と、
を備えた、請求項１に記載のスタンド装置。
【請求項３】
前記第一部分には、前記第一方向および前記第二方向と交差した第三方向に延びた第一通路が設けられ、
前記第二部分には、前記第二部品が前記第一部品と一体化された状態で、前記第一通路と前記第三方向に連通する第二通路が設けられた、請求項２に記載のスタンド装置。
【請求項４】
前記第一部品は、前記第一壁に、前記第一支持部が前記一対の第二壁のうち一方と面する第一姿勢と、前記第一支持部が前記一対の第二壁のうち他方と面する第二姿勢と、の二つの姿勢で取り付け可能に構成された、請求項２または３に記載のスタンド装置。
【請求項５】
前記第一部品は、前記第一部分から前記第二方向に突出し、前記第一姿勢および前記第二姿勢のそれぞれの姿勢で前記第一壁と位置決めされる突出部を有した、請求項４に記載のスタンド装置。
【請求項６】
前記第二支持部は、前記設置面と面し、前記ベース部から離れるにつれて前記設置面から遠ざかるように傾斜した第一面を有した、請求項２〜５のうちいずれか一つに記載のスタンド装置。
【請求項７】
電子機器の筐体の第一壁に取り付けられ、設置面と前記第一壁との間に介在したベース部と、
前記ベース部の前記設置面に沿う第一方向の両端部のうち一端部のみに設けられ、前記筐体の前記第一方向の両側の一対の第二壁のうち一方と面した第一支持部と、
前記ベース部の一部を構成する第一部分と、前記第一支持部と、を有した第一部品と、
前記ベース部の一部を構成し前記設置面と交差した第二方向に前記第一部分と重なった第二部分と、前記第二部分の前記第一支持部とは反対側の他端部に設けられ前記一対の第二壁のうち他方と面した第二支持部と、を有し、前記第一部品に対して着脱可能に構成された第二部品と、
を備え、
前記第一部分には、前記第一方向および前記第二方向と交差した第三方向に延びた第一通路が設けられ、
前記第二部分には、前記第二部品が前記第一部品と一体化された状態で、前記第一通路と前記第三方向に連通する第二通路が設けられた、スタンド装置。
【手続補正２】
【補正対象書類名】明細書
【補正対象項目名】０００６
【補正方法】変更
【補正の内容】
【０００６】
本発明の第一態様にかかるスタンド装置は、電子機器の筐体の第一壁に取り付けられ、設置面と前記第一壁との間に介在したベース部と、前記ベース部の前記設置面に沿う第一方向の両端部のうち一端部のみに設けられ、前記筐体の前記第一方向の両側の一対の第二壁のうち一方と面した第一支持部と、を備え、前記第一支持部は、前記設置面と面し、前記ベース部から離れるにつれて前記設置面から遠ざかるように傾斜した第一面を有している。
【手続補正３】
【補正対象書類名】明細書
【補正対象項目名】００１１
【補正方法】変更
【補正の内容】
【００１１】
また、前記第二支持部は、前記設置面と面し、前記ベース部から離れるにつれて前記設置面から遠ざかるように傾斜した第一面を有している。
また、本発明の第二態様にかかるスタンド装置は、電子機器の筐体の第一壁に取り付けられ、設置面と前記第一壁との間に介在したベース部と、前記ベース部の前記設置面に沿う第一方向の両端部のうち一端部のみに設けられ、前記筐体の前記第一方向の両側の一対の第二壁のうち一方と面した第一支持部と、前記ベース部の一部を構成する第一部分と、前記第一支持部と、を有した第一部品と、前記ベース部の一部を構成し前記設置面と交差した第二方向に前記第一部分と重なった第二部分と、前記第二部分の前記第一支持部とは反対側の他端部に設けられ前記一対の第二壁のうち他方と面した第二支持部と、を有し、前記第一部品に対して着脱可能に構成された第二部品と、を備え、前記第一部分には、前記第一方向および前記第二方向と交差した第三方向に延びた第一通路が設けられ、前記第二部分には、前記第二部品が前記第一部品と一体化された状態で、前記第一通路と前記第三方向に連通する第二通路が設けられる。